(57)【要約】【課題】着用させることが容易な使い捨てのパンツ型着用物品。【解決手段】使い捨てのパンツ型着用物品１が、内面シート２と外面シート３との間に複数枚のプラスチックフィルム片からなる中間シート２１を有する。フィルム片は、互いに重なり合う重畳部位２２を形成しており、その重畳部位２２が着用物品１の上下方向において１０〜１００ｍｍの寸法を有し、幅方向において脚周り弾性部材１６の近傍にまで延びる。【選択図】図１
2008161207.tif 000002
【特許請求の範囲】
【請求項１】
前胴周り域と後胴周り域と股下域とを有するパンツ形状を成しており、前記パンツ形状における肌当接面を形成する内面シートと着衣当接面を形成する外面シートとの間にプラスチックフィルム片からなる中間シートが設けられており、前記前胴周り域と前記後胴周り域との少なくとも一方では複数条の帯状弾性部材が胴周り方向へ伸長状態で延びており、前記股下域では前記パンツ形状における脚周り開口の縁に沿って複数条の弾性部材が脚周り方向へ伸長状態で延びている使い捨てのパンツ型着用物品であって、
前記中間シートが、複数枚のプラスチックフィルム片からなり、前記フィルム片が幅方向へ延びる端部どうしで重なり合って重畳部位を形成しており、前記重畳部位が前記上下方向において１０〜１００ｍｍの寸法を有し、前記幅方向において前記脚周り弾性部材の近傍にまで延びていることを特徴とする前記着用物品。
【請求項２】
前記重畳部位が、前記股下域における前記前胴周り域寄りの部位と前記股下域における前記後胴周り域寄りの部位とに形成されている請求項１記載の着用物品。
【請求項３】
前記重畳部位において、前記プラスチックフィルム片どうしが接着および溶着のいずれかによって接合している請求項１または２記載の着用物品。
【請求項４】
前記内面シートが透液性のものであり、前記中間シートが不透液性のものであって、前記股下域では、前記内面シートと前記中間シートとの間に体液吸収性材料のブロックが設けられ、前記重畳部位が前記ブロックの前記幅方向両側それぞれにおける縁部から前記幅方向へ少なくとも１０ｍｍ延出している請求項１〜３のいずれかに記載の着用物品。
【発明の詳細な説明】
【技術分野】
【０００１】
この発明は、着用が容易な使い捨てのパンツ型着用物品に関する。
【背景技術】
【０００２】
従来、使い捨てのパンツや使い捨てのパンツ型おむつ等のパンツ型着用物品は周知である。その一例は、特開平４−２８９２０１号公報（特許文献１）に使い捨てブリーフとして開示されている。このブリーフでは、胴周り開口と脚周り開口との縁に沿って帯状弾性部材が伸長状態で取り付けられている。胴周り開口の縁に沿う弾性部材は、その縁から股下域にかけて幅広く配置されているから、このブリーフは着用者の胴周りに幅広くフィットすることが可能である。
【特許文献１】特開平４−２８９２０１号公報
【発明の開示】
【発明が解決しようとする課題】
【０００３】
前記ブリーフは、弾性部材の収縮によって変形し、その収縮量が大きいときには著しく変形し、これを母親が乳幼児等に着用させる際には、胴周り開口や脚周り開口を見つけ難く、着用させるのに手間取ることがある。また、胴周り開口を見つけてそれを両手で大きく広げても、脚周り開口は小さく閉じた状態にあって依然として見つけ難いということがある。
【０００４】
そこで、この発明は、帯状弾性部材が胴周り方向と脚周り方向とに伸長状態で取り付けられている使い捨てのパンツ型着用物品において、それを着用させるときに、脚周り開口の位置を確認することが容易となるように改良を施すことを課題にしている。
【課題を解決するための手段】
【０００５】
前記課題を解決するために、この発明が対象とするのは、前胴周り域と後胴周り域と股下域とを有するパンツ形状を成しており、前記パンツ形状における肌当接面を形成する内面シートと着衣当接面を形成する外面シートとの間にプラスチックフィルム片からなる中間シートが設けられており、前記前胴周り域と前記後胴周り域との少なくとも一方では複数条の帯状弾性部材が胴周り方向へ伸長状態で延びており、前記股下域では前記パンツ形状における脚周り開口の縁に沿って複数条の弾性部材が脚周り方向へ伸長状態で延びている使い捨てのパンツ型着用物品である。
【０００６】
かかるパンツ型着用物品において、この発明が特徴とするところは、前記中間シートが、複数枚のプラスチックフィルム片からなり、前記フィルム片が幅方向へ延びる端部どうしで重なり合って重畳部位を形成しており、前記重畳部位が前記上下方向において１０〜１００ｍｍの寸法を有し、前記幅方向において前記脚周り弾性部材の近傍にまで延びている、ことにある。
【０００７】
この発明の好ましい実施態様の一つにおいて、前記重畳部位が、前記股下域における前記前胴周り域寄りの部位と前記股下域における前記後胴周り域寄りの部位とに形成されている（請求項２に対応）。
【０００８】
この発明の好ましい実施態様の他の一つにおいて、前記重畳部位では、前記プラスチックフィルム片どうしが接着および溶着のいずれかによって接合している（請求項３に対応）。
【０００９】
この発明の好ましい実施態様の他の一つにおいて、前記内面シートが透液性のものであり、前記中間シートが不透液性のものであって、前記股下域では、前記内面シートと前記中間シートとの間に体液吸収性材料のブロックが設けられ、前記重畳部位が前記ブロックの前記幅方向両側それぞれにおける縁部から前記幅方向へ少なくとも１０ｍｍ延出している（請求項４に対応）。
【発明の効果】
【００１０】
この発明に係る使い捨てのパンツ型着用物品は、股下域において、プラスチックフィルム片からなる中間シートが重畳部位を形成しており、その重畳部位は、パンツ型着用物品の幅方向へ延びて一対の脚周り開口それぞれにおける脚周り弾性部材の近傍にまで延びているから、パンツ型着用物品の胴周り方向へ延びる弾性部材や脚周り方向へ延びる弾性部材が収縮しても、その重畳部位が脚周り開口近傍の変形を抑えて、脚周り開口が著しくゆがんだり、脚周り開口が小さく閉じたりすることを防ぐことができる。かかるパンツ型着用物品は、それを着用させるときに、脚周り開口の位置を確認することが容易である。
【００１１】
請求項２に係るこの発明のパンツは、中間シートの重畳部位をパンツ型着用物品の前側および後側それぞれに有するので、弾性部材が収縮することに伴う脚周り開口近傍の変形を、パンツ型着用物品の前側および後側において抑えることができる。
【００１２】
請求項３に係るこの発明のパンツ型着用物品は、中間シートどうしが重畳部位で互いに接合して一体化しているから、弾性部材が収縮したときには、中間シートどうしが一体化していない場合に比べて、中間シートは簡単にずれ動いたり、簡単に折れ曲がったりすることがなく、脚周り開口近傍の変形を抑える効果が向上する。
【００１３】
請求項４に係るこの発明のパンツ型着用物品は、股下域において内面シートと中間シートとの間に体液吸収性材料のブロックを有し、中間シートが液不透過性のものであるから、着用が容易な使い捨てのおむつとして使用することができる。
【発明を実施するための最良の形態】
【００１４】
添付の図面を参照し、この発明に係る使い捨てのパンツ型着用物品として使い捨てパンツを例にとり、その詳細を説明すると、以下のとおりである。
【００１５】
図１は、使い捨てパンツ１の部分破断斜視図である。パンツ１は、その着用者（図示せず）の肌に対しての当接面を形成する内面シート２と、着衣に対しての当接面を形成する外面シート３とによってパンツ型形状が形成されており、前胴周り域６と、後胴周り域７と、股下域８とを有する。内面シート２と外面シート３とは互いに重なり合う部分において間欠的に塗布されたホットメルト接着剤（図示せず）を介して接合している。前後胴周り域６，７は、それぞれの側縁部分８，９で合掌状に重なり合い、図の上下方向へ間欠的に並ぶ接合部位１３において溶着して一体化することにより胴周り開口１１を形成するとともに、股下域８と協働して左右一対の脚周り開口１２を形成している。前後胴周り域６，７では、胴周り開口１１の縁の近傍において帯状の第１胴周り弾性部材１１ａ，１１ｂが胴周り方向へ延びており、胴周り開口１１の縁と脚周り開口１２の縁との間では複数条の帯状の第２胴周り弾性部材１４ａ，１４ｂが胴周り方向へ延びている。股下域８では、複数条の帯状の脚周り弾性部材１６が脚周り開口１２の縁に沿って延びている。これら第１、第２胴周り弾性部材１１ａ，１１ｂ，１４ａ，１４ｂと脚周り弾性部材１６とは、内面シート２と外面シート３との間にあって、これら両シート２，３の少なくとも一方に伸長状態で接合している。内面シート２と外面シート３との間にはまた、プラスチックフィルム片からなる中間シート２１が介在している。中間シート２１は、股下域８を中心に前胴周り域６と後胴周り域７とに向かって延びているものではあるが、主として前胴周り域６と股下域８のうちの前胴周り域６寄りの部分とに位置する前側中間シート２１ａと、主として後胴周り域７と股下域８のうちの後胴周り域７寄りの部分とに位置する後側中間シート２１ｂとの２枚からなり、これら両中間シート２１ａ，２１ｂが股下域８における前側で重なり合い、重畳部位２２を形成している。
【００１６】
図２は、図１のパンツ１の部分破断分解斜視図である。図２においては、図１のパンツ１が、部位１３における接合を外されて、双頭矢印Ｘで示されたパンツ１の幅方向と双頭矢印Ｘに直交する双頭矢印Ｙで示されたパンツ１の前後方向とに伸展された状態にあり、前後方向Ｙの寸法を二等分する線が中心線Ｄ−Ｄとして示されている。伸展されたパンツ１では、重なり合って間欠的に接合している内面シート２と外面シート３とが互いに剥がされて図の上下方向へ離間した状態にあり、弾性部材１１ａ，１１ｂ，１４ａ，１４ｂ，１６のそれぞれが外面シート３に伸長下に接合された状態で示されている。中間シート２１は、股下域８を中心に前後胴周り域６，７にまで延びるとともに、中心線Ｄ−Ｄ近傍におけるパンツ１の中央部では脚周り弾性部材１６と重なり合う程度にまで幅方向Ｘに広がっており、ホットメルト接着剤（図示せず）を介して外面シート３に対して、より好ましくは外面シート３と内面シート２とに対して間欠的に接合している。中間シート２１の重畳部位２２は、パンツ１が乳幼児用のものである場合に前後方向Ｙに１０〜５０ｍｍの寸法を有し、大人用のものである場合には２０〜１００ｍｍの寸法を有していることが好ましい。重畳部位２２はまた、図２の前後方向Ｙにおいて股下域８のいずれの部位に形成されていてもよいが、図１，２の例では、それが股下域８の中でも前胴周り域６寄りに形成されている。重畳部位２２において、前側中間シート２１ａと後側中間シート２１ｂとは、これらシート２１ａ，２１ｂの幅全体に連続して延びる少なくとも一条のホットメルト接着剤からなる帯状ライン２３を介して互いに接合しており、その帯状ライン２３は、好ましくは０．５〜１．５ｍｍの幅を有する。かかる重畳部位２２はさらに、内面シート２と外面シート３とのいずれかに対して、より好ましくはこれら両シート２，３に対してホットメルト接着剤（図示せず）によって接合している。なお、図示例においてホットメルト接着剤によって形成される帯状ライン２３は、熱可塑性プラスチックフィルム片であるシート２１ａ，２１ｂに対して形成される帯状の溶着ラインに代えることができる。また、この発明は、図示例とは異なり、前後胴周り域６，７のいずれかにおける胴周り弾性部材を省いて実施することもできる。図１において直状の帯状ライン２３は、サインカーブ状の波を打つ帯状ラインに代えることもできる。
【００１７】
図１，２の如き構成を有するパンツ１は、それが自然状態にあるときには、弾性部材１１ａ，１１ｂ，１４ａ，１４ｂ，１６のそれぞれが収縮することに伴って、幅方向Ｘに大きく収縮したり，胴周り開口１１が小さく閉じたりする傾向にあっても、脚周り開口１２の近傍では、中間シート２１における重畳部位２２が、股下域８の幅方向Ｘへの収縮や脚周り方向への収縮を抑制するので、脚周り開口１２がゆがむように変形したり、開口１２が小さく閉じるように変形したりすることを抑えることができる。それゆえ、パンツ１は、それを例えば幼児に着用させるときに、母親が両手で胴周り開口１１を大きく広げると脚周り開口１２が容易に目に入るので、脚周り開口１２の位置を確認することが容易で、パンツ１を着用させるときに手間取ることがない。かかる重畳部位２２は、脚周り開口１２の周縁部の一部分にのみ形成されているものであって、その周縁部の全体に広がって脚周り弾性部材１６の伸縮の妨げになるということはない。
【００１８】
かようなパンツ１において、内面シート２と外面シート３とには、不織布や織布、熱可塑性プラスチックフィルム、熱可塑性プラスチックのネット等のシート材料を使用することができる。重畳部位２２による高い効果を得るためには、内面シート２と外面シート３とに熱可塑性合成繊維からなる不織布であって、坪量１０〜１００ｇ／ｍ２を有する柔軟にして肌触りのよいものを使用することが好ましい。中間シート２１には、ポリエチレンやポリプロピレン、ポリエステル等の熱可塑性プラスチックからなる柔軟なフィルムを使用したり熱可塑性プラスチックのエラストマーからなるフィルムを使用したりすることができる。中間シート２１は、重畳部位２２において、前側中間シート２１ａと後側中間シート２１ｂとが重なり合い互いに接合することによって、中心線Ｄ−Ｄに直交する方向の線に沿っての折曲が困難になるように剛性が高くなっている。その高い剛性によって、重畳部位２２は、内面シート２や外面シート３の変形を抑えることができる。ＪＩＳ  １０９６−１０９６  ６．１９．１節のＡ法（４５°カンチレバー法）に基づいて測定する剛性で見ると、好ましい重畳部位２２は、中間シート２１におけるそれ以外の部位よりも１０％以上高い値を有する。ただし、その剛性の測定は、パンツ１の重畳部位２２やその他の部位から幅方向Ｘに長さ１５０ｍｍを有し、前後方向Ｙに幅２０ｍｍを有する試験片を切り取って測定する。この試験片は、前後方向Ｙにおいて、接合線２３等における接着剤の分布に片寄りがないように中間シート２１から切り取る。
【００１９】
図３は、この発明の実施態様の一例を示す図２と同様な図である。このパンツ１では、中間シート２１が、前胴周り域６寄りに位置する前側中間シート２１ａと、後胴周り域７寄りに位置する後側中間シート２１ｂと、これら両中間シート２１ａ，２１ｂを股下域８においてつないでいる連結用中間シート２１ｃとに分かれている。前側中間シート２１ａと連結用中間シート２１ｃとは、外面シート３の前後方向の寸法を二等分する中心線Ｄ−Ｄよりも前方において重なり合ってホットメルト接着剤による２条の接合線２３を介して接合することにより前側重畳部位２２ａを形成している。後側中間シート２１ｂと連結用中間シート２１ｃとは、中心線Ｄ−Ｄよりも後方において重なり合って多数のドット２７となって分布するホットメルト接着剤を介して接合することにより後側重畳部位２２ｂを形成している。これら両重畳部位２２ａ，２２ｂのそれぞれは、パンツの前側と後側とにおいて脚周り開口１２が小さく閉じることを抑制している。図示例において、前側重畳部位２２ａでは、ホットメルト接着剤が帯状の接合線２３をなして幅方向Ｘへ延びているから、前側重畳部位２２ａを幅方向Ｘに直交する方向の折曲線に沿って折曲しようとすると、接合線２３がその折曲を難しくするように作用する。一方、後側重畳部位２２ａではホットメルト接着剤が相互に離間するドット２７として塗布されているから、この場合のホットメルト接着剤は前側重畳部位２２ａのホットメルト接着剤ほどには内面シート２や外面シート３の変形を抑えることができない。それゆえ、この発明においては、パンツ１の重畳部位２２や重畳部位２２ａ，２２ｂにおける中間シート２１どうしの接合に、接合線２３の如く幅方向Ｘにおいて連続している接合線を使用することが好ましい。
【００２０】
図４，５は、この発明の好ましい実施態様の一例を示す図１，２と同様な図である。図示例のパンツ１は、使い捨ておむつとして使用できるものであって、内面シート２と中間シート２１との間に体液吸収性材料のブロック３１を有する。内面シート２は透液性のものであって、ブロック３１は塊状の粉砕パルプ３２を液透過性と液拡散性とにすぐれたティッシュペーパ３３で被覆したり、粉砕パルプ３２と高吸水性ポリマー粒子（図示せず）との混合物をティッシュペーパ３３で被覆したりすることにより形成されている。ブロック３１の前後方向Ｙと幅方向Ｘとの寸法は、中間シート２１におけるそれらの寸法よりも小さくなるように作られており、ブロック３１の周縁部からは中間シート２１が延出している。特に好ましいブロック３１では、幅方向Ｘにおけるそれぞれの縁部が、中間シート２１の縁部の内側にあって、中間シート２１の縁部から少なくとも１０ｍｍ離れている。すなわち、中間シート２１は、幅方向Ｘにおいてブロック３１の側縁から延出している。中間シート２１は、図２のそれと同じ形状のものであり、また、ブロック３１からの体液の漏れを防ぐことができるように不透液性であり、より好ましくは通気不透液性である。このように、図示例の中間シート２１は、ブロック３１からの体液の漏れを防ぐ防漏シートとして作用することに加え、重畳部位２２がブロック３１の側縁から延出する部分において、内面シート２や外面シート３が脚周り開口１２近傍で変形して、脚周り開口１２がゆがんだり、小さく閉じたりする傾向を抑えるように作用する。このパンツ１の外面シート３には通気性、通気透液性、通気不透液性等の不織布や織布、プラスチックフィルム等が使用される。
【００２１】
この発明において、脚周り開口１２近傍で内面シート２や外面シート３の変形を抑える重畳部位２２は、脚周り弾性部材１６の伸縮の妨げにならない程度であるならば、前後方向Ｙにおいて股下域８の任意の部位に任意の数だけ作ることが可能である。例えば、重畳部位２２は、図２の例に代えて、中心線Ｄ−Ｄよりも後方に作ることも可能である。また、重畳部位２２は、外面シート３の内側に形成されるから、重畳部位２２によってパンツ１の外観に悪影響を与えるということがない。図１のパンツ１は、中間シート２１に液不透過性のシート材料を使用すれば、吸尿パッドや吸血用パッドを着用するためのパンツとして有用なものとなる。
【産業上の利用可能性】
【００２２】
この発明によれば、着用するときに脚周り開口の位置を確認し易いパンツ型着用物品の製造が可能になる。
【図面の簡単な説明】
【００２３】
【図１】着用状態にあるパンツの部分破断斜視図。
【図２】パンツの部分破断分解斜視図。
【図３】実施態様の一例を示す図２と同様な図。
【図４】実施態様の他の一例を示す図１と同様な図。
【図５】実施態様の他の一例を示す図２と同様な図。
【符号の説明】
【００２４】
１    着用物品（パンツ）
２    内面シート
３    外面シート
６    前胴周り域
７    後胴周り域
８    股下域
１１    胴周り開口
１２    脚周り開口
１１ａ，１１ｂ    弾性部材
１４ａ，１４ｂ    弾性部材
１６    弾性部材
２１，２１ａ，２１ｂ，２１ｃ    中間シート
２２，２２ａ，２２ｂ    重畳部位
２３    接合線
【図１】
2008161207.tif 000003
【図２】
2008161207.tif 000004
【図３】
2008161207.tif 000005
【図４】
2008161207.tif 000006
【図５】
2008161207.tif 000007
【手続補正書】
【提出日】平成19年12月5日(2007.12.5)
【手続補正１】
【補正対象書類名】図面
【補正対象項目名】図１
【補正方法】変更
【補正の内容】
【図１】
2008161207.tif 000008
【手続補正２】
【補正対象書類名】図面
【補正対象項目名】図２
【補正方法】変更
【補正の内容】
【図２】
2008161207.tif 000009
【手続補正３】
【補正対象書類名】図面
【補正対象項目名】図４
【補正方法】変更
【補正の内容】
【図４】
2008161207.tif 000010
【手続補正４】
【補正対象書類名】図面
【補正対象項目名】図５
【補正方法】変更
【補正の内容】
【図５】
2008161207.tif 000011